(57)【要約】【課題】各サービスに対応する仮想通信網へ基地局が容易に接続すること。【解決手段】基地局１１０は、ＶＬＡＮ１０５〜１０７が設定されたイーサネット網１０１へ接続される基地局１１０であって、ＶＬＡＮ１０５〜１０７へ特定情報を送信する。ゲートウェイ装置１３０は、ＶＬＡＮ１０５〜１０７の少なくともいずれかに属している。ゲートウェイ装置１３０は、属するＶＬＡＮの識別情報と属するＶＬＡＮに対応するサービスの識別情報とを対応付けた対応情報を記憶している。ゲートウェイ装置１３０は、特定情報を受信した場合に、対応情報を基地局１１０へ送信する。【選択図】図１
2011199430.tif 000002
【特許請求の範囲】
【請求項１】
複数の仮想通信網が設定された通信網へ接続される基地局であって、前記仮想通信網の識別情報と前記仮想通信網に対応するサービスの識別情報とを要求するための特定情報を前記複数の仮想通信網へ送信する基地局と、
前記複数の仮想通信網の少なくともいずれかに属し、属する仮想通信網の識別情報と前記属する仮想通信網に対応するサービスの識別情報とを対応付けた対応情報を記憶し、前記特定情報を受信した場合に前記対応情報を前記基地局へ送信する通信装置と、
を含むことを特徴とする通信システム。
【請求項２】
前記通信網に設けられ、前記基地局によって送信された特定情報を受信し、受信した特定情報を前記複数の仮想通信網へ送信するスイッチを含み、
前記基地局は、前記スイッチへ接続され、前記特定情報を前記スイッチへ送信することを特徴とする請求項１に記載の通信システム。
【請求項３】
前記基地局は、前記特定情報を含むフレームを前記スイッチへ送信し、
前記スイッチは、前記基地局から受信したフレームに前記特定情報が含まれていた場合に前記フレームを前記複数の仮想通信網へ送信することを特徴とする請求項２に記載の通信システム。
【請求項４】
前記基地局は、前記特定情報とともに前記基地局の物理アドレスを送信し、
前記通信装置は、受信した前記物理アドレスを送信先として前記対応情報を前記仮想通信網へ送出することを特徴とする請求項１〜３のいずれか一つに記載の通信システム。
【請求項５】
前記通信装置は、複数の基地局の物理アドレスごとに前記対応情報を対応付けて記憶し、受信した前記物理アドレスと対応付けて記憶した対応情報を送信することを特徴とする請求項４に記載の通信システム。
【請求項６】
前記基地局は、前記通信網への接続を契機として前記特定情報を送信することを特徴とする請求項１〜５のいずれか一つに記載の通信システム。
【請求項７】
複数の仮想通信網が設定された通信網へ接続される基地局において、
前記仮想通信網の識別情報と前記仮想通信網に対応するサービスの識別情報とを要求するための特定情報を前記複数の仮想通信網へ送信する送信部と、
前記複数の仮想通信網の少なくともいずれかに属する通信装置から前記特定情報に応じて送信された、前記通信装置が属する仮想通信網の識別情報と前記属する仮想通信網に対応するサービスの識別情報とを対応付けた対応情報を受信する受信部と、
を備えることを特徴とする基地局。
【請求項８】
通信網に設定された複数の仮想通信網の少なくともいずれかに属する通信装置において、
自装置が属する仮想通信網の識別情報と前記属する仮想通信網に対応するサービスの識別情報とを対応付けた対応情報を記憶する記憶部と、
前記通信網へ接続された基地局によって前記複数の仮想通信網へ送信された、前記仮想通信網の識別情報と前記仮想通信網に対応するサービスの識別情報とを要求するための特定情報を受信する受信部と、
前記受信部によって前記特定情報が受信された場合に、前記記憶部によって記憶された対応情報を前記基地局へ送信する送信部と、
を備えることを特徴とする通信装置。
【請求項９】
複数の仮想通信網が設定された通信網に設けられ、基地局が接続されるスイッチにおいて、
前記基地局によって送信された、前記仮想通信網の識別情報と前記仮想通信網に対応するサービスの識別情報とを要求するための特定情報を受信する受信部と、
前記受信部によって受信された特定情報を前記複数の仮想通信網へ送信する送信部と、
前記複数の仮想通信網の少なくともいずれかに属する通信装置から前記特定情報に応じて送信された、前記通信装置が属する仮想通信網の識別情報と前記属する仮想通信網に対応するサービスの識別情報とを対応付けた対応情報を前記基地局へ転送する転送部と、
を備えることを特徴とするスイッチ。
【請求項１０】
複数の仮想通信網が設定された通信網の通信方法において、
前記複数の仮想通信網の少なくともいずれかに属する通信装置に、前記通信装置が属する仮想通信網の識別情報と前記属する仮想通信網に対応するサービスの識別情報とを対応付けた対応情報を記憶し、
前記通信網へ接続された基地局によって、前記仮想通信網の識別情報と前記仮想通信網に対応するサービスの識別情報とを要求するための特定情報を前記複数の仮想通信網へ送信し、
前記特定情報に応じて前記通信装置から前記対応情報を前記基地局へ送信することを特徴とする通信方法。
【発明の詳細な説明】
【技術分野】
【０００１】
本発明は、通信システム、基地局、通信装置、スイッチおよび通信方法に関する。
【背景技術】
【０００２】
昨今、モバイルネットワークの基地局のコアネットワーク側にはイーサネット（Ｅｔｈｅｒｎｅｔ：登録商標）やＩＰ（Ｉｎｔｅｒｎｅｔ  Ｐｒｏｔｏｃｏｌ）網が敷設されている。基地局は、ＩＰ網へ接続するために自局のＩＰアドレスを取得する。ＩＰアドレスの取得方法としては、たとえばＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバから取得する方法や、保守管理端末などから基地局に直接入力する方法がある。
【０００３】
また、イーサネット上でＶＬＡＮ（Ｖｉｒｔｕａｌ  Ｌｏｃａｌ  Ａｒｅａ  Ｎｅｔｗｏｒｋ：仮想構内通信網）構成を組む場合には、ＶＬＡＮ  ＩＤを基地局ごとに設定する。基地局へのＶＬＡＮ  ＩＤの設定は、たとえばユーザによって手動で行われる。
【０００４】
近年では、３ＧＰＰ（３ｒｄ  Ｇｅｎｅｒａｔｉｏｎ  Ｐａｒｔｎｅｒｓｈｉｐ  Ｐｒｏｊｅｃｔ）や通信キャリア会社などから、たとえばＳＯＮ（Ｓｅｌｆ  Ｏｒｇａｎｉｚｉｎｇ  Ｎｅｔｗｏｒｋ）の機能としてプラグイン方式による自動起動が要求されている。ＳＯＮにおいては、基地局にＩＰアドレスが記憶されていなくても、基地局の設置時にＤＨＣＰによってＩＰアドレスを自動取得してネットワークへ接続する。
【０００５】
また、ネットワークへ接続したユーザ端末へ、動的に、任意またはユニークなＶＬＡＮ  ＩＤを割り当て、割り当てたＶＬＡＮ  ＩＤでの通信を行う技術が知られている（たとえば、下記特許文献１参照。）。
【先行技術文献】
【特許文献】
【０００６】
【特許文献１】特開２００６−３４５０８８号公報
【発明の概要】
【発明が解決しようとする課題】
【０００７】
しかしながら、上述した従来技術では、サービスごとに対応するＶＬＡＮ（仮想通信網）の識別情報を基地局で容易に取得することができないという問題がある。たとえば、Ｃ−ＰｌａｎｅやＵ−Ｐｌａｎｅなどのサービスごとに異なるＶＬＡＮが設定されている場合に、サービスごとのＶＬＡＮの識別情報を基地局が自動的に取得することができない。このため、各サービスに対応するＶＬＡＮへ基地局が接続することができない。
【０００８】
したがって、たとえば、ＶＬＡＮの先に存在するＤＨＣＰサーバによるＩＰアドレスの取得もできないため、基地局がＩＰ通信を開始することができない。このように、上述した従来技術では、基地局のプラグイン方式による自動起動を実現することが困難である。
【０００９】
開示の通信システム、基地局、通信装置、スイッチおよび通信方法は、上述した問題点を解消するものであり、各サービスに対応する仮想通信網へ基地局が容易に接続することを目的とする。
【課題を解決するための手段】
【００１０】
上述した課題を解決し、目的を達成するため、開示技術は、複数の仮想通信網が設定された通信網において、前記複数の仮想通信網の少なくともいずれかに属する通信装置に、前記通信装置が属する仮想通信網の識別情報と前記属する仮想通信網に対応するサービスの識別情報とを対応付けた対応情報を記憶し、前記通信網へ接続された基地局によって前記仮想通信網の識別情報と前記仮想通信網に対応するサービスの識別情報とを要求するための特定情報を前記複数の仮想通信網へ送信し、前記特定情報に応じて前記通信装置から前記対応情報を前記基地局へ送信する。
【発明の効果】
【００１１】
開示の通信システム、基地局、通信装置、スイッチおよび通信方法によれば、各サービスに対応する仮想通信網へ基地局が容易に接続することができる。
【図面の簡単な説明】
【００１２】
【図１】実施の形態にかかる通信システムの構成例を示す図である。
【図２】ゲートウェイ装置に記憶されるＩＤ対応情報の一例を示す図である。
【図３】基地局の構成例を示すブロック図である。
【図４】スイッチの構成例を示すブロック図である。
【図５】ゲートウェイ装置の構成例を示すブロック図である。
【図６】ＩＤ対応情報を含むＶＬＡＮフレームのフォーマットの一例を示す図である。
【図７】通信システムにおけるゲートウェイの設定動作の一例を示すシーケンス図である。
【図８】通信システムにおける基地局の設定動作の一例を示すシーケンス図である。
【図９】基地局の動作の一例を示すフローチャートである。
【図１０】スイッチの動作の一例を示すフローチャートである。
【図１１】ゲートウェイ装置の動作の一例を示すフローチャートである。
【図１２】基地局のＶＬＡＮへの接続例を示す図である。
【発明を実施するための形態】
【００１３】
以下に図面を参照して、開示の通信システム、基地局、通信装置、スイッチおよび通信方法の好適な実施の形態を詳細に説明する。開示の通信システム、基地局、通信装置、スイッチおよび通信方法は、ＶＬＡＮ  ＩＤとサービスＩＤの対応情報をＶＬＡＮの通信装置に記憶しておき、基地局から要求があった場合に対応情報を基地局へ送信する。これにより、各サービスに対応するＶＬＡＮへ基地局が接続することが容易になる。
【００１４】
（実施の形態）
（通信システムの構成例）
図１は、実施の形態にかかる通信システムの構成例を示す図である。図１に示すように、実施の形態にかかる通信システム１００は、基地局１１０と、スイッチ１２０と、ゲートウェイ装置１３０と、保守管理端末１４０と、を含んでいる。スイッチ１２０およびゲートウェイ装置１３０はイーサネット網１０１に設けられている。
【００１５】
イーサネット網１０１（Ｅｔｈｅｒｎｅｔ網）は、複数の仮想通信網としてＶＬＡＮ１０５〜１０７が設定された通信網である。ＶＬＡＮ１０５〜１０７にはそれぞれ識別情報が割り振られている。たとえば、ＶＬＡＮ１０５〜１０７には、それぞれＶＬＡＮ  ＩＤ「５」〜「７」が割り振られている。また、ＶＬＡＮ１０５〜１０７は、それぞれＣ−ＰｌａｎｅやＵ−Ｐｌａｎｅなどの各種のサービスに対応している。各種のサービスには識別情報（たとえばサービスＩＤ）が割り振られている。
【００１６】
基地局１１０は、イーサネット網１０１へ接続される基地局である。たとえば、基地局１１０は、スイッチ１２０へ接続されることで、イーサネット網１０１へ接続される。基地局１１０は、たとえば移動局との間で無線通信を行う。そして、基地局１１０は、移動局とイーサネット網１０１の間の通信や、移動局とＩＰ網１０２の間の通信を中継する。
【００１７】
基地局１１０は、イーサネット網１０１におけるＶＬＡＮ  ＩＤとサービスＩＤとのＩＤ対応情報を保持していない場合は、ＶＬＡＮ１０５〜１０７へ特定情報を送信する。具体的には、基地局１１０は、特定情報を含むＶＬＡＮフレーム（第一フレーム）をスイッチ１２０へ送信する。特定情報を含むＶＬＡＮフレームの送信は、たとえば基地局１１０のイーサネット網１０１への接続を契機として行われる。また、基地局１１０は、特定ＩＤとともに基地局１１０のＭＡＣアドレス（物理アドレス）を送信する。
【００１８】
特定情報は、ゲートウェイ装置１３０に対してＩＤ対応情報を要求する信号である。たとえば、特定情報は、ＶＬＡＮ  ＩＤとしてＶＬＡＮフレームのＶＬＡＮタグに付与される特定ＩＤである。特定ＩＤは、たとえば、ＶＬＡＮ１０５〜１０７のいずれにも振られていないＶＬＡＮ  ＩＤにする。
【００１９】
また、基地局１１０は、たとえばイーサネット網１０１におけるＶＬＡＮ  ＩＤとサービスＩＤとのＩＤ対応情報を保持している場合は、ＶＬＡＮ１０５〜１０７のいずれかを送信先とするＶＬＡＮフレーム（第二フレーム）をスイッチ１２０へ送信する。ＶＬＡＮ１０５〜１０７のいずれかを送信先とするＶＬＡＮフレームには、ＶＬＡＮ１０５〜１０７のいずれかを経由してＩＰ網１０２へ送信されるフレームも含まれる。
【００２０】
スイッチ１２０のメモリには上述した特定ＩＤ（特定情報）が記憶されている。スイッチ１２０は、基地局１１０から送信された特定ＩＤを受信し、受信した特定ＩＤをＶＬＡＮ１０５〜１０７へ送信する。具体的には、スイッチ１２０は、基地局１１０から送信されたＶＬＡＮフレームを受信し、受信したＶＬＡＮフレームに特定ＩＤが含まれていた場合に、受信したフレームをＶＬＡＮ１０５〜１０７へ送信する。特定ＩＤを含むＶＬＡＮフレームの送信は、たとえばブロードキャストによって行われる。
【００２１】
また、スイッチ１２０は、基地局１１０から受信したＶＬＡＮフレームに送信先のＶＬＡＮ  ＩＤが含まれていた場合に、受信したＶＬＡＮフレームを、ＶＬＡＮ１０５〜１０７のうちの送信先のＶＬＡＮ  ＩＤに対応するＶＬＡＮへ送信する。送信先のＶＬＡＮ  ＩＤを含むＶＬＡＮフレームの送信は、たとえばユニキャストによって行われる。
【００２２】
また、スイッチ１２０は、ゲートウェイ装置１３０によって送信されたＩＤ対応情報を基地局１１０へ転送する。スイッチ１２０は、たとえばＬ２ＳＷ（Ｌａｙｅｒ  ２  ＳＷｉｔｃｈ）である。
【００２３】
ゲートウェイ装置１３０は、ゲートウェイ１３１〜１３３を備えている。ゲートウェイ装置１３０は、たとえばＬ３ＳＷ（Ｌａｙｅｒ  ３  ＳＷｉｔｃｈ）である。ゲートウェイ装置１３０のメモリには上述した特定ＩＤ（特定情報）が記憶されている。ゲートウェイ１３１〜１３３は、それぞれＶＬＡＮ１０５〜１０７に対応して設けられたゲートウェイである。ゲートウェイ１３１〜１３３は、それぞれＶＬＡＮ１０５〜１０７とＩＰ網１０２（他の通信網）とを接続する。スイッチ１２０からＶＬＡＮ１０５〜１０７へ送信されたＶＬＡＮフレームは、それぞれゲートウェイ１３１〜１３３によって受信される。
【００２４】
ゲートウェイ１３１は、ＶＬＡＮ１０５に属する通信装置である。ゲートウェイ１３１は、ＶＬＡＮ１０５のＶＬＡＮ  ＩＤ「５」とＶＬＡＮ１０５に対応するサービスＩＤとを対応付けたＩＤ対応情報を記憶している。ゲートウェイ１３１は、特定ＩＤを受信した場合にＩＤ対応情報を基地局１１０へ送信する。具体的には、ゲートウェイ１３１は、受信した特定ＩＤの送信元（基地局１１０）の物理アドレスを送信先としてＩＤ対応情報をＶＬＡＮ１０５へ送出する。
【００２５】
同様に、ゲートウェイ１３２，１３３は、それぞれＶＬＡＮ１０６，１０７に属する通信装置である。ゲートウェイ１３２，１３３は、それぞれＶＬＡＮ１０６，１０７のＶＬＡＮ  ＩＤ「６」，「７」とＶＬＡＮ１０６，１０７に対応するサービスＩＤとを対応付けたＩＤ対応情報を記憶している。ゲートウェイ１３２，１３３は、特定ＩＤを受信した場合にＩＤ対応情報を基地局１１０へ送信する。
【００２６】
保守管理端末１４０は、ゲートウェイ１３１〜１３３に対してＩＤ対応情報の登録を行う。たとえば、保守管理端末１４０は、ＩＰ網１０２を経由してゲートウェイ１３１〜１３３に対してＩＤ対応情報の登録を行う。または、保守管理端末１４０をゲートウェイ１３１〜１３３に直接接続してＩＤ対応情報の登録を行ってもよい。
【００２７】
（ＩＤ対応情報の例）
図２は、ゲートウェイ装置に記憶されるＩＤ対応情報の一例を示す図である。図２に示す対応テーブル２００は、ゲートウェイ装置１３０に記憶されるＩＤ対応情報の一例である。対応テーブル２００においては、基地局（たとえば基地局１１０）のＭＡＣアドレスと、ＶＬＡＮ  ＩＤと、サービスＩＤと、が対応付けられている。
【００２８】
このように、ゲートウェイ装置１３０は、複数の基地局のＭＡＣアドレス（物理アドレス）ごとにＩＤ対応情報（ＶＬＡＮ  ＩＤとサービスＩＤ）を対応付けて記憶している。ゲートウェイ装置１３０は、特定ＩＤを含むＶＬＡＮフレームを受信した場合に、ＶＬＡＮフレームの送信元ＭＡＣアドレスと対応するＩＤ対応情報を検索する。そして、ゲートウェイ装置１３０は、検索したＩＤ対応情報を送信する。
【００２９】
ゲートウェイ１３１〜１３３をそれぞれ別の通信装置によって実現する場合は、ゲートウェイ１３１〜１３３のそれぞれに、対応テーブル２００のうちの対応するＶＬＡＮ  ＩＤに関する情報を記憶させればよい。たとえば、ゲートウェイ１３１には、ＭＡＣアドレス「ａａ−ａａ−ａａ−ａａ−ａａ−ａａ」とＶＬＡＮ  ＩＤ「５」とサービスＩＤ「１」を対応付けた対応情報を記憶させる。
【００３０】
ゲートウェイ１３１〜１３３のそれぞれは、特定ＩＤを含むＶＬＡＮフレームを受信した場合に、ＶＬＡＮフレームの送信元ＭＡＣアドレスと対応するＩＤ対応情報を検索する。そして、ゲートウェイ１３１〜１３３のそれぞれは、対応するＩＤ対応情報が記憶されていた場合は、記憶されていたＩＤ対応情報を送信する。
【００３１】
（基地局の構成例）
図３は、基地局の構成例を示すブロック図である。図３に示すように、基地局１１０は、ＩＤ付与部３１０と、応答タイマ３２０と、送信部３３０と、受信部３４０と、検出部３５０と、記憶部３６０と、を備えている。ＩＤ付与部３１０は、ＶＬＡＮフレームのＶＬＡＮタグにＶＬＡＮ  ＩＤを付与し、ＶＬＡＮ  ＩＤを付与したＶＬＡＮフレームを送信部３３０へ出力する。
【００３２】
具体的には、ＩＤ付与部３１０は、ＩＤ対応情報が記憶部３６０に記憶されている場合は、あらかじめ定められた特定ＩＤをＶＬＡＮフレームのＶＬＡＮタグに付与する。特定ＩＤは、たとえば、イーサネット網１０１において未使用のＶＬＡＮ  ＩＤである。特定ＩＤを付与したＶＬＡＮフレームのＭＡＣヘッダは、たとえば、送信先ＭＡＣアドレスを全て「１」とし、送信元ＭＡＣアドレスを基地局１１０のＭＡＣアドレスとする。
【００３３】
また、ＩＤ付与部３１０は、ＩＤ対応情報が記憶部３６０に記憶されている場合は、イーサネット網１０１の各サービスに対応するＶＬＡＮフレームを出力する。このとき、ＩＤ付与部３１０は、記憶部３６０に記憶されたＩＤ対応情報に基づいて、ＶＬＡＮフレームのサービスＩＤに対応するＶＬＡＮ  ＩＤを取得する。そして、基地局１１０は、取得したＶＬＡＮ  ＩＤをＶＬＡＮフレームのＶＬＡＮタグに付与する。
【００３４】
応答タイマ３２０は、ＩＤ付与部３１０によって特定ＩＤを付与したＶＬＡＮフレームが出力されてから一定の期間を計時する。ＩＤ付与部３１０は、応答タイマ３２０によって一定の期間を計時されてもＩＤ対応情報が記憶部３６０に記憶されていない場合は、特定ＩＤを付与したＶＬＡＮフレームを再度、送信部３３０へ出力する。送信部３３０は、ＩＤ付与部３１０から出力されたＶＬＡＮフレームをスイッチ１２０へ送信する。
【００３５】
受信部３４０は、スイッチ１２０から送信されたＶＬＡＮフレームを受信する。受信部３４０は、受信したＶＬＡＮフレームを検出部３５０へ出力する。検出部３５０は、受信部３４０から出力されたＶＬＡＮフレームからＩＤ対応情報を検出する。検出部３５０は、検出したＩＤ対応情報を記憶部３６０へ出力する。記憶部３６０は、検出部３５０から出力されたＩＤ対応情報を記憶する。
【００３６】
基地局１１０は、たとえばスイッチ１２０への接続を契機として、特定ＩＤを含むＶＬＡＮフレームをスイッチ１２０へ送信する。これにより、ゲートウェイ装置１３０からＩＤ対応情報を取得して記憶部３６０に記憶させることができる。基地局１１０は、記憶部３６０に記憶されたＩＤ対応情報に基づいてサービスごとのＶＬＡＮへ接続する。
【００３７】
（スイッチの構成例）
図４は、スイッチの構成例を示すブロック図である。図４に示すように、スイッチ１２０は、受信部４１０と、ＩＤ解析部４２０と、送信部４３０と、転送部４４０と、を備えている。受信部４１０は、基地局１１０からのＶＬＡＮフレームを受信する。受信部４１０は、受信したＶＬＡＮフレームが正常か否かを判断し、正常でないと判断した場合は受信したＶＬＡＮフレームを破棄してもよい。受信部４１０は、受信したＶＬＡＮフレームをＩＤ解析部４２０へ出力する。
【００３８】
ＩＤ解析部４２０は、受信部４１０から出力されたＶＬＡＮフレームのＶＬＡＮ  ＩＤを解析する。ＩＤ解析部４２０は、ＶＬＡＮフレームのＶＬＡＮ  ＩＤが特定ＩＤである場合は、ＶＬＡＮフレームを送信部４３０のブロードキャスト送信部４３１へ出力する。また、ＩＤ解析部４２０は、ＶＬＡＮフレームのＶＬＡＮ  ＩＤが特定ＩＤでない場合は、ＶＬＡＮフレームを送信部４３０のユニキャスト送信部４３２へ出力する。
【００３９】
送信部４３０は、ブロードキャスト送信部４３１（Ｂｒｏａｄｃａｓｔ）とユニキャスト送信部４３２（Ｕｎｉｃａｓｔ）を備えている。ブロードキャスト送信部４３１は、ＩＤ解析部４２０から出力されたＶＬＡＮフレームをＶＬＡＮ１０５〜１０７へブロードキャスト送信する。ユニキャスト送信部４３２は、ＩＤ解析部４２０から出力されたＶＬＡＮフレームを、ＶＬＡＮ１０５〜１０７のうちのＶＬＡＮフレームのＶＬＡＮ  ＩＤに対応するＶＬＡＮへユニキャスト送信する。
【００４０】
転送部４４０は、基地局１１０を送信先としてゲートウェイ装置１３０から送信されたＩＤ対応情報を基地局１１０へ転送する。このように、スイッチ１２０は、基地局１１０から特定ＩＤを含むＶＬＡＮフレームを受信すると、受信したＶＬＡＮフレームをＶＬＡＮ１０５〜１０７へブロードキャスト送信する。そして、ブロードキャスト送信したＶＬＡＮフレームに応じてゲートウェイ装置１３０から送信されたＩＤ対応情報を基地局１１０へ転送することで、基地局１１０にＩＤ対応情報を取得させることができる。
【００４１】
（ゲートウェイ装置の構成例）
図５は、ゲートウェイ装置の構成例を示すブロック図である。図５に示すように、ゲートウェイ装置１３０は、記憶部５１０と、受信部５２０と、ＩＤ解析部５３０と、検索部５４０と、送信部５５０と、を備えている。記憶部５１０には、たとえば保守管理端末１４０によって、ＩＤ対応情報が記憶される。受信部５２０は、スイッチ１２０からＶＬＡＮ１０５〜１０７を経由して送信されたＶＬＡＮフレームを受信する。受信部５２０は、受信したＶＬＡＮフレームをＩＤ解析部５３０へ出力する。
【００４２】
ＩＤ解析部５３０は、受信部５２０から出力されたＶＬＡＮフレームのＶＬＡＮ  ＩＤを解析する。ＩＤ解析部５３０は、受信部５２０から出力されたＶＬＡＮ  ＩＤが特定ＩＤである場合は、ＶＬＡＮフレームを検索部５４０へ出力する。
【００４３】
また、ＩＤ解析部５３０は、ＶＬＡＮ  ＩＤが特定ＩＤでない場合であって、ＶＬＡＮフレームの送信先がゲートウェイ装置１３０である場合は、図示しないフレーム処理部へＶＬＡＮフレームを出力する。また、ＩＤ解析部５３０は、ＶＬＡＮ  ＩＤが特定ＩＤでない場合であって、ＶＬＡＮフレームの送信先がＩＰ網１０２である場合は、ＶＬＡＮフレームを通常のフレームとして送信部５５０へ出力する。
【００４４】
検索部５４０は、ＩＤ解析部５３０から出力されたＶＬＡＮフレームに含まれるＭＡＣアドレス（たとえば基地局１１０のＭＡＣアドレス）と対応付けて登録されたＩＤ対応情報を記憶部５１０から検索する。検索部５４０は、検索したＩＤ対応情報を含み、基地局１１０を送信先とするＶＬＡＮフレームを送信部５５０へ出力する。また、検索部５４０は、ＶＬＡＮフレームに含まれるＭＡＣアドレスと対応付けて登録されたＩＤ対応情報が記憶部５１０にない場合は、ＶＬＡＮフレームを送信部５５０へ出力しない。
【００４５】
送信部５５０は、ＩＤ解析部５３０から出力されたフレームをＩＰ網１０２へ送信する。また、送信部５５０は、検索部５４０から送信されたＶＬＡＮフレームをＶＬＡＮ１０５〜１０７の少なくともいずれかに送出する。たとえば、送信部５５０は、受信部５２０がＶＬＡＮフレームを受信したＶＬＡＮ（たとえばＶＬＡＮ１０７）へ、検索部５４０から出力されたＶＬＡＮフレームを送出する。
【００４６】
ＶＬＡＮ１０７へ送出されたＶＬＡＮフレームは、基地局１１０によって受信される。このように、ゲートウェイ装置１３０にはＩＤ対応情報があらかじめ記憶される。そして、ゲートウェイ装置１３０は、基地局１１０から送信された特定ＩＤを含むＶＬＡＮフレームを受信すると、ＩＤ対応情報を基地局１１０へ送信する。
【００４７】
（ＩＤ対応情報を含むＶＬＡＮフレームのフォーマット）
図６は、ＩＤ対応情報を含むＶＬＡＮフレームのフォーマットの一例を示す図である。図６に示すＶＬＡＮフレームフォーマット６００は、ＩＤ対応情報を含み、ゲートウェイ装置１３０から基地局１１０へ送信されるＶＬＡＮフレームのフォーマットの一例である。ＶＬＡＮフレームフォーマット６００には、ＶＬＡＮタグ６１０と、送信元ＭＡＣアドレス６２０と、送信先ＭＡＣアドレス６３０と、を含んでいる。
【００４８】
ＶＬＡＮタグ６１０は、サービスＩＤ（８オクテット）と、ＶＬＡＮ  ＩＤ（１２オクテット）と、ＣＦＩ（１オクテット）と、優先度（３オクテット）と、を含んでいる。ＣＦＩ（Ｃａｎｏｎｉｃａｌ  Ｆｏｒｍａｔ  Ｉｄｅｎｔｉｆｉｅｒ）は、ＭＡＣアドレスの表記形式を指定する情報である。優先度は、ＶＬＡＮフレームの優先度である。送信元ＭＡＣアドレス６２０は、ゲートウェイ装置１３０のＭＡＣアドレスである。送信先ＭＡＣアドレス６３０は、基地局１１０のＭＡＣアドレスである。
【００４９】
（通信システムの設定動作）
図７は、通信システムにおけるゲートウェイの設定動作の一例を示すシーケンス図である。ここでは、基地局１１０のＭＡＣアドレスを（ｘｘｘ）とする。まず、保守管理端末１４０が、ゲートウェイ１３１（ＶＬＡＮ  ＩＤ＝５）に対して、基地局１１０のＭＡＣアドレス（ｘｘｘ）とサービスＩＤ（ａ）とを対応付けて登録する（ステップＳ７０１）。ゲートウェイ１３１は、ＭＡＣアドレス（ｘｘｘ）とサービスＩＤ（ａ）とＶＬＡＮ  ＩＤ「５」とを対応付けて記憶する。
【００５０】
つぎに、保守管理端末１４０が、ゲートウェイ１３３（ＶＬＡＮ  ＩＤ＝７）に対して、基地局１１０のＭＡＣアドレス（ｘｘｘ）とサービスＩＤ（ｂ）とを対応付けて登録し（ステップＳ７０２）、一連の設定動作を終了する。ゲートウェイ１３３は、ＭＡＣアドレス（ｘｘｘ）とサービスＩＤ（ｂ）とＶＬＡＮ  ＩＤ「７」とを対応付けて記憶する。
【００５１】
このように、サービスＩＤごとに、基地局１１０に対して使用させたいＶＬＡＮに対応するゲートウェイに基地局１１０のＭＡＣアドレス（ｘｘｘ）とサービスＩＤを登録しておく。なお、ここではゲートウェイ１３２に対しては基地局１１０のＭＡＣアドレスとサービスＩＤが登録されないとする。
【００５２】
なお、ここでは基地局１１０のＭＡＣアドレスを（ｘｘｘ）とする場合について説明したが、基地局１１０は複数のＭＡＣアドレスを有していてもよい。たとえば、基地局１１０がＭＡＣアドレス（ｘｘｘ）とＭＡＣアドレス（ｙｙｙ）を有しているとする。この場合は、ステップＳ８０１において基地局１１０のＭＡＣアドレス（ｘｘｘ）とサービスＩＤ（ｂ）とを対応付けて登録し、ステップＳ８０２において基地局１１０のＭＡＣアドレス（ｙｙｙ）とサービスＩＤ（ｂ）とを対応付けて登録してもよい。
【００５３】
図８は、通信システムにおける基地局の設定動作の一例を示すシーケンス図である。図７に示した設定動作の後に基地局１１０がスイッチ１２０へ接続されると、たとえば以下に示す各ステップが行われる。まず、基地局１１０が、ＶＬＡＮタグに特定ＩＤを付与したＶＬＡＮフレームをスイッチ１２０へ送信する（ステップＳ８０１）。つぎに、スイッチ１２０が、ステップＳ８０１によって送信されたＶＬＡＮフレームをゲートウェイ１３１〜１３３へ送信する（ステップＳ８０２）。
【００５４】
つぎに、ゲートウェイ１３１が、ステップＳ８０２によって送信されたＶＬＡＮフレームの送信元のＭＡＣアドレス（ｘｘｘ）と対応付けて記憶されたＩＤ対応情報を検索する。ここでは、図７のステップＳ７０１によって記憶された、ＶＬＡＮ  ＩＤ（５）とサービスＩＤ（ａ）を対応付けたＩＤ対応情報が検索される。ゲートウェイ１３１は、検索したＩＤ対応情報を送信する（ステップＳ８０３）。
【００５５】
つぎに、スイッチ１２０が、ステップＳ８０３によって送信されたＩＤ対応情報を基地局１１０へ転送する（ステップＳ８０４）。基地局１１０は、ステップＳ８０４によって転送されたＩＤ対応情報を記憶する。これにより、基地局１１０は、サービスＩＤ（ａ）が示すサービスにおいては、ＶＬＡＮ  ＩＤ（５）が示すＶＬＡＮ１０５へ接続すべきことを認識することができる。
【００５６】
つぎに、ゲートウェイ１３３が、ステップＳ８０２によって送信されたＶＬＡＮフレームの送信元のＭＡＣアドレス（ｘｘｘ）と対応付けて記憶されたＩＤ対応情報を検索する。ここでは、図７のステップＳ７０２によって記憶された、ＶＬＡＮ  ＩＤ（７）とサービスＩＤ（ｂ）を対応付けたＩＤ対応情報が検索される。ゲートウェイ１３３は、検索したＩＤ対応情報を送信する（ステップＳ８０５）。
【００５７】
つぎに、スイッチ１２０が、ステップＳ８０５によって送信されたＩＤ対応情報を基地局１１０へ転送し、一連の動作を終了する（ステップＳ８０６）。基地局１１０は、ステップＳ８０６によって転送されたＩＤ対応情報を記憶する。これにより、基地局１１０は、サービスＩＤ（ｂ）が示すサービスにおいては、ＶＬＡＮ  ＩＤ（７）が示すＶＬＡＮ１０７へ接続すべきことを認識することができる。
【００５８】
以上の各ステップにより、イーサネット網１０１における各サービスに対応するＶＬＡＮへ基地局１１０が接続することが容易になる。なお、ゲートウェイ１３２は、ステップＳ８０２によって送信されたＶＬＡＮフレームの送信元のＭＡＣアドレス（ｘｘｘ）が登録されていないため、スイッチ１２０に対してＩＤ対応情報を送信しない。
【００５９】
（基地局の動作）
図９は、基地局の動作の一例を示すフローチャートである。基地局１１０は、たとえばスイッチ１２０への接続を契機として以下の各ステップを実行する。まず、記憶部３６０にＩＤ対応情報が記憶されているか否かを判断する（ステップＳ９０１）。
【００６０】
ステップＳ９０１において、ＩＤ対応情報が記憶されている場合（ステップＳ９０１：Ｙｅｓ）は、ステップＳ９０９へ移行する。ＩＤ対応情報が記憶されていない場合（ステップＳ９０１：Ｎｏ）は、ＶＬＡＮタグに特定ＩＤを付与したＶＬＡＮフレームを送信（ブロードキャスト）する（ステップＳ９０２）。
【００６１】
つぎに、応答タイマ３２０を開始させる（ステップＳ９０３）。ステップＳ９０３によって開始された応答タイマ３２０は、一定の期間を計時して満了する。つぎに、ＩＤ対応情報を受信（ユニキャスト）したか否かを判断する（ステップＳ９０４）。ＩＤ対応情報を受信していない場合（ステップＳ９０４：Ｎｏ）は、ステップＳ９０６へ移行する。
【００６２】
ステップＳ９０４において、ＩＤ対応情報を受信した場合（ステップＳ９０４：Ｙｅｓ）は、受信したＩＤ対応情報を記憶部３６０に記憶する（ステップＳ９０５）。つぎに、ステップＳ９０３によって開始された応答タイマ３２０が満了したか否かを判断する（ステップＳ９０６）。応答タイマ３２０が満了していない場合（ステップＳ９０６：Ｎｏ）は、ステップＳ９０４へ戻る。応答タイマ３２０が満了した場合（ステップＳ９０６：Ｙｅｓ）は、応答タイマ３２０をクリアする（ステップＳ９０７）。
【００６３】
つぎに、記憶部３６０にＩＤ対応情報が記憶されているか否かを判断する（ステップＳ９０８）。ＩＤ対応情報が記憶されていない場合（ステップＳ９０８：Ｎｏ）は、ステップＳ９０２に戻る。ＩＤ対応情報が記憶されている場合（ステップＳ９０８：Ｙｅｓ）は、記憶されたＩＤ対応情報に基づいて各サービスのＶＬＡＮへ接続し（ステップＳ９０９）、一連の動作を終了する。
【００６４】
このように、基地局１１０は、記憶部３６０にＩＤ対応情報が記憶されていない場合に、ＶＬＡＮタグに特定ＩＤを付与したＶＬＡＮフレームを送信（ブロードキャスト）することで、ゲートウェイ１３１からＩＤ対応情報を受信する。これにより、基地局１１０は、イーサネット網１０１におけるサービスごとのＶＬＡＮ  ＩＤを取得し、サービスごとの各ＶＬＡＮへ接続することができる。
【００６５】
また、基地局１１０は、特定ＩＤを付与したＶＬＡＮフレームを送信してから一定の期間が経過してもゲートウェイ１３１からのＩＤ対応情報を受信できない場合は、特定ＩＤを付与したＶＬＡＮフレームを再度送信する。
【００６６】
（スイッチの動作）
図１０は、スイッチの動作の一例を示すフローチャートである。スイッチ１２０は、たとえば以下の各ステップを実行する。まず、基地局１１０からのＶＬＡＮフレームを受信したか否かを判断し（ステップＳ１００１）、受信するまで待つ（ステップＳ１００１：Ｎｏのループ）。ＶＬＡＮフレームを受信すると（ステップＳ１００１：Ｙｅｓ）、受信したＶＬＡＮフレームが正常か否かを判断する（ステップＳ１００２）。
【００６７】
ステップＳ１００２において、受信したＶＬＡＮフレームが正常でない場合（ステップＳ１００２：Ｎｏ）は、受信したＶＬＡＮフレームを破棄し（ステップＳ１００３）、一連の動作を終了する。受信したＶＬＡＮフレームが正常である場合（ステップＳ１００２：Ｙｅｓ）は、受信したＶＬＡＮフレームのＶＬＡＮ  ＩＤが特定ＩＤであるか否かを判断する（ステップＳ１００４）。
【００６８】
ステップＳ１００４において、ＶＬＡＮ  ＩＤが特定ＩＤでない場合（ステップＳ１００４：Ｎｏ）は、ＶＬＡＮ  ＩＤに対応するポートへ受信したＶＬＡＮフレームを送信し（ステップＳ１００５）、一連の動作を終了する。これにより、ＶＬＡＮ  ＩＤに対応するＶＬＡＮへＶＬＡＮフレームが送信される。
【００６９】
ステップＳ１００４において、受信したＶＬＡＮフレームのＶＬＡＮ  ＩＤが特定ＩＤである場合（ステップＳ１００４：Ｙｅｓ）は、受信したＶＬＡＮフレームを全ポートへ送信し（ステップＳ１００６）、一連の動作を終了する。これにより、ＶＬＡＮ１０５〜１０７のそれぞれへＶＬＡＮフレームが送信される。このように、スイッチ１２０は、受信したＶＬＡＮフレームのＶＬＡＮ  ＩＤが特定ＩＤである場合に、受信したＶＬＡＮフレームをＶＬＡＮ１０５〜１０７のそれぞれへ送信する。
【００７０】
（ゲートウェイ装置の動作）
図１１は、ゲートウェイ装置の動作の一例を示すフローチャートである。ゲートウェイ装置１３０のゲートウェイ１３１〜１３３のそれぞれは、たとえば以下の各ステップを実行する。まず、保守管理端末１４０によるＩＤ対応情報の登録指示があるか否かを判断する（ステップＳ１１０１）。登録指示がない場合（ステップＳ１１０１：Ｎｏ）は、ステップＳ１１０３へ移行する。登録指示がある場合（ステップＳ１１０１：Ｙｅｓ）は、登録指示に基づいて基地局１１０のＭＡＣアドレス、ＶＬＡＮ  ＩＤおよびサービスＩＤを対応付けて登録する（ステップＳ１１０２）。
【００７１】
つぎに、ＶＬＡＮタグに特定ＩＤが付与されたＶＬＡＮフレームを受信したか否かを判断する（ステップＳ１１０３）。特定ＩＤが付与されたＶＬＡＮフレームを受信していない場合（ステップＳ１１０３：Ｎｏ）は、一連の動作を終了する。特定ＩＤが付与されたＶＬＡＮフレームを受信した場合（ステップＳ１１０３：Ｙｅｓ）は、受信したＶＬＡＮフレームの送信元のＭＡＣアドレスが、ステップＳ１１０２によって登録されたＭＡＣアドレスか否かを判断する（ステップＳ１１０４）。
【００７２】
ステップＳ１１０４において、登録されたＭＡＣアドレスでない場合（ステップＳ１１０４：Ｎｏ）は、一連の動作を終了する。登録されたＭＡＣアドレスである場合（ステップＳ１１０４：Ｙｅｓ）は、ＭＡＣアドレスと対応付けて登録されたＶＬＡＮ  ＩＤおよびサービスＩＤのＩＤ対応情報を基地局１１０へ送信し（ステップＳ１１０５）、一連の動作を終了する。ステップＳ１１０５におけるＩＤ対応情報の送信先は、受信したＶＬＡＮフレームの送信元のＭＡＣアドレス（基地局１１０）である。
【００７３】
このように、ゲートウェイ１３１〜１３３には、たとえば保守管理端末１４０によって、基地局のＭＡＣアドレスごとに、ＶＬＡＮ  ＩＤおよびサービスＩＤが対応付けて登録される。ゲートウェイ１３１〜１３３は、特定ＩＤが付与されたＶＬＡＮフレームを受信した場合に、基地局１１０のＭＡＣアドレスと対応付けて登録されたＶＬＡＮ  ＩＤおよびサービスＩＤのＩＤ対応情報を基地局１１０へ送信する。
【００７４】
（基地局の接続例）
図１２は、基地局のＶＬＡＮへの接続例を示す図である。基地局１１０は、ゲートウェイ１３１，１３３によって送信されたＩＤ対応情報を受信し、受信したＩＤ対応情報に基づいてサービスごとのＶＬＡＮへ接続する。具体的には、符号１２０１に示すように、基地局１１０は、サービスＩＤ（ａ）が示すサービスにおいてＶＬＡＮ１０５へ接続する。また、符号１２０２に示すように、基地局１１０は、サービスＩＤ（ｂ）が示すサービスにおいてＶＬＡＮ１０７へ接続する。
【００７５】
また、基地局１１０とは異なる基地局１２１０をイーサネット網１０１へ接続してもよい。ここで、ゲートウェイ１３１に対して、基地局１２１０のＭＡＣアドレスと、ＶＬＡＮ  ＩＤ（５）と、サービスＩＤ（ａ）と、を対応付けて登録したとする。この場合は、基地局１２１０は、ゲートウェイ１３１によって送信されたＩＤ対応情報を受信し、受信したＩＤ対応情報に基づいてサービスごとのＶＬＡＮへ接続する。具体的には、符号１２０３に示すように、基地局１２１０は、サービスＩＤ（ａ）が示すサービスにおいてＶＬＡＮ１０５へ接続する。
【００７６】
このように、実施の形態にかかる通信システム１００においては、ＶＬＡＮ  ＩＤとサービスＩＤのＩＤ対応情報をＶＬＡＮ１０５〜１０７のゲートウェイ装置１３０に記憶しておく。そして、基地局１１０から要求があった場合にゲートウェイ装置１３０から基地局１１０へＩＤ対応情報を送信する。これにより、イーサネット網１０１の各サービスに対応するＶＬＡＮへ基地局１１０が接続することが容易になる。
【００７７】
たとえば、基地局１１０の設置時に、保守管理端末１４０などを基地局１１０に接続して各種データ（たとえばＩＰアドレス）を設定しなくても、基地局１１０が自動的にＶＬＡＮ１０５〜１０７やＩＰ網１０２に接続して各種データを設定することができる。このため、基地局１１０の設置時の作業を簡単にすることができる。
【００７８】
たとえば、イーサネット網１０１にスイッチ１２０を設け、基地局１１０をスイッチ１２０に接続することによって基地局１１０をイーサネット網１０１に接続する。そして、基地局１１０によって送信された特定ＩＤをスイッチ１２０がＶＬＡＮ１０５〜１０７へ送信することで、特定ＩＤをＶＬＡＮ１０５〜１０７へ送信することができる。
【００７９】
具体的には、基地局１１０は、特定ＩＤを含むＶＬＡＮフレームをスイッチ１２０へ送信する。そして、スイッチ１２０は、基地局１１０から受信したフレームに特定ＩＤが含まれていた場合に、受信したＶＬＡＮフレームをＶＬＡＮ１０５〜１０７へ送信する。これにより、特定ＩＤをＶＬＡＮ１０５〜１０７へ送信することができる。ゲートウェイ装置１３０によって送信されたＩＤ対応情報は、たとえばスイッチ１２０によって転送されて基地局１１０に受信される。
【００８０】
また、基地局１１０は、特定ＩＤとともに基地局１１０のＭＡＣアドレスを送信する。そして、ゲートウェイ装置１３０は、受信した物理アドレスを送信先としてＩＤ対応情報をＶＬＡＮ１０５〜１０７の少なくともいずれかへ送出する。これにより、ＩＤ対応情報をゲートウェイ装置１３０から基地局１１０へ送信することができる。
【００８１】
また、ゲートウェイ装置１３０は、複数の基地局のＭＡＣアドレスごとにＩＤ対応情報を対応付けて記憶する。そして、ゲートウェイ装置１３０は、受信したＭＡＣ物理アドレスと対応付けて記憶したＩＤ対応情報を送信する。これにより、複数の基地局のそれぞれに対して、サービスごとに使用させるＶＬＡＮを設定することができる。
【００８２】
たとえば、基地局１１０は、イーサネット網１０１への接続を契機として特定ＩＤを送信する。これにより、基地局１１０は、イーサネット網１０１の接続時にＩＤ対応情報を取得することができる。このため、基地局１１０のプラグイン方式による自動起動を実現することが可能になる。
【００８３】
ただし、基地局１１０が特定ＩＤを送信する契機はイーサネット網１０１への接続に限らない。たとえば、基地局１１０は、基地局１１０の起動時やユーザからのコマンド入力時に特定ＩＤを送信してもよい。これにより、基地局１１０は、起動時やユーザからのコマンド入力時においてもＩＤ対応情報を取得することができる。このため、通信システム１００に対して、サービスごとに使用させるＶＬＡＮを柔軟に設定することができる。
【００８４】
また、ＩＤ対応情報を記憶して送信する通信装置として、ＶＬＡＮ１０５〜１０７とＩＰ網１０２（他の通信網）との間のゲートウェイ装置１３０を用いることでＩＤ対応情報の設定が容易になる。たとえば、保守管理端末１４０によって、ＩＰ網１０２を経由してゲートウェイ装置１３０にＩＤ対応情報を設定することができる。ただし、ＩＤ対応情報を記憶する通信装置として、ＶＬＡＮ１０５〜１０７におけるゲートウェイ装置１３０以外の通信装置を用いることも可能である。
【００８５】
また、基地局１１０は、特定ＩＤを送信してから一定の期間が経過してもＩＤ対応情報を受信できない場合は特定ＩＤを再度送信する。これにより、特定ＩＤの伝送において障害が発生してゲートウェイ装置１３０が特定ＩＤを受信できなかったり、ＩＤ対応情報の伝送において障害が発生して基地局１１０がＩＤ対応情報を受信できなかったりした場合に特定ＩＤを再度送信することができる。このため、基地局１１０がより確実にＩＤ対応情報を取得することができる。
【００８６】
（通信システムの変形例）
複数の仮想通信網が設定された通信網としてイーサネット網１０１を例示したが、複数の仮想通信網が設定された通信網の通信方式はイーサネットに限らない。また、ゲートウェイ装置１３０にゲートウェイ１３１〜１３３を設ける構成について説明したが、ゲートウェイ１３１〜１３３をそれぞれ別の通信装置によって実現してもよい。
【００８７】
また、基地局１１０をイーサネット網１０１へ接続する方法については、スイッチ１２０への接続に限らない。たとえば、基地局１１０をイーサネット網１０１に直接接続するようにしてもよい。この場合は、基地局１１０は、たとえばブロードキャストによってＶＬＡＮフレームをＶＬＡＮ１０５〜１０７へ送信する。
【００８８】
また、基地局１１０が送信する特定情報としてＶＬＡＮフレームの特定ＩＤを例示したが、基地局１１０が送信する特定情報はＶＬＡＮフレームの特定ＩＤに限らない。たとえば、通信システム１００において新たなフレームを定義し、定義したフレームを特定情報として基地局１１０が送信するようにしてもよい。
【００８９】
以上説明したように、通信システム、基地局、通信装置、スイッチおよび通信方法によれば、各サービスに対応する仮想通信網へ基地局が容易に接続することができる。
【００９０】
上述した実施の形態に関し、さらに以下の付記を開示する。
【００９１】
（付記１）複数の仮想通信網が設定された通信網へ接続される基地局であって、前記仮想通信網の識別情報と前記仮想通信網に対応するサービスの識別情報とを要求するための特定情報を前記複数の仮想通信網へ送信する基地局と、
前記複数の仮想通信網の少なくともいずれかに属し、属する仮想通信網の識別情報と前記属する仮想通信網に対応するサービスの識別情報とを対応付けた対応情報を記憶し、前記特定情報を受信した場合に前記対応情報を前記基地局へ送信する通信装置と、
を含むことを特徴とする通信システム。
【００９２】
（付記２）前記通信網に設けられ、前記基地局によって送信された特定情報を受信し、受信した特定情報を前記複数の仮想通信網へ送信するスイッチを含み、
前記基地局は、前記スイッチへ接続され、前記特定情報を前記スイッチへ送信することを特徴とする付記１に記載の通信システム。
【００９３】
（付記３）前記基地局は、前記特定情報を含むフレームを前記スイッチへ送信し、
前記スイッチは、前記基地局から受信したフレームに前記特定情報が含まれていた場合に前記フレームを前記複数の仮想通信網へ送信することを特徴とする付記２に記載の通信システム。
【００９４】
（付記４）前記基地局は、前記特定情報を含む第一フレームまたは前記複数の仮想通信網のいずれかを送信先とする第二フレームを前記スイッチへ送信し、
前記スイッチは、前記基地局から受信した前記第一フレームを前記複数の仮想通信網へ送信し、前記基地局から受信した前記第二フレームを前記送信先へ送信することを特徴とする付記２に記載の通信システム。
【００９５】
（付記５）前記スイッチは、前記通信装置によって送信された対応情報を前記基地局へ転送することを特徴とする付記２〜４のいずれか一つに記載の通信システム。
【００９６】
（付記６）前記基地局は、前記特定情報とともに前記基地局の物理アドレスを送信し、
前記通信装置は、受信した前記物理アドレスを送信先として前記対応情報を前記仮想通信網へ送出することを特徴とする付記１〜５のいずれか一つに記載の通信システム。
【００９７】
（付記７）前記通信装置は、複数の基地局の物理アドレスごとに前記対応情報を対応付けて記憶し、受信した前記物理アドレスと対応付けて記憶した対応情報を送信することを特徴とする付記６に記載の通信システム。
【００９８】
（付記８）前記基地局は、前記通信網への接続を契機として前記特定情報を送信することを特徴とする付記１〜７のいずれか一つに記載の通信システム。
【００９９】
（付記９）前記通信装置は、前記属する仮想通信網と他の通信網との間のゲートウェイであることを特徴とする付記１〜８のいずれか一つに記載の通信システム。
【０１００】
（付記１０）前記基地局は、前記特定情報を送信してから一定の期間が経過しても前記対応情報を受信できない場合は前記特定情報を再度送信することを特徴とする付記１〜９のいずれか一つに記載の通信システム。
【０１０１】
（付記１１）前記基地局は、前記通信装置によって送信された対応情報を受信し、受信した対応情報に基づいてサービスごとに前記仮想通信網へ接続することを特徴とする付記１〜８のいずれか一つに記載の通信システム。
【０１０２】
（付記１２）複数の仮想通信網が設定された通信網へ接続される基地局において、
前記仮想通信網の識別情報と前記仮想通信網に対応するサービスの識別情報とを要求するための特定情報を前記複数の仮想通信網へ送信する送信部と、
前記複数の仮想通信網の少なくともいずれかに属する通信装置から前記特定情報に応じて送信された、前記通信装置が属する仮想通信網の識別情報と前記属する仮想通信網に対応するサービスの識別情報とを対応付けた対応情報を受信する受信部と、
を備えることを特徴とする基地局。
【０１０３】
（付記１３）通信網に設定された複数の仮想通信網の少なくともいずれかに属する通信装置において、
自装置が属する仮想通信網の識別情報と前記属する仮想通信網に対応するサービスの識別情報とを対応付けた対応情報を記憶する記憶部と、
前記通信網へ接続された基地局によって前記複数の仮想通信網へ送信された、前記仮想通信網の識別情報と前記仮想通信網に対応するサービスの識別情報とを要求するための特定情報を受信する受信部と、
前記受信部によって前記特定情報が受信された場合に、前記記憶部によって記憶された対応情報を前記基地局へ送信する送信部と、
を備えることを特徴とする通信装置。
【０１０４】
（付記１４）複数の仮想通信網が設定された通信網に設けられ、基地局が接続されるスイッチにおいて、
前記基地局によって送信された、前記仮想通信網の識別情報と前記仮想通信網に対応するサービスの識別情報とを要求するための特定情報を受信する受信部と、
前記受信部によって受信された特定情報を前記複数の仮想通信網へ送信する送信部と、
前記複数の仮想通信網の少なくともいずれかに属する通信装置から前記特定情報に応じて送信された、前記通信装置が属する仮想通信網の識別情報と前記属する仮想通信網に対応するサービスの識別情報とを対応付けた対応情報を前記基地局へ転送する転送部と、
を備えることを特徴とするスイッチ。
【０１０５】
（付記１５）複数の仮想通信網が設定された通信網の通信方法において、
前記複数の仮想通信網の少なくともいずれかに属する通信装置に、前記通信装置が属する仮想通信網の識別情報と前記属する仮想通信網に対応するサービスの識別情報とを対応付けた対応情報を記憶し、
前記通信網へ接続された基地局によって、前記仮想通信網の識別情報と前記仮想通信網に対応するサービスの識別情報とを要求するための特定情報を前記複数の仮想通信網へ送信し、
前記特定情報に応じて前記通信装置から前記対応情報を前記基地局へ送信することを特徴とする通信方法。
【符号の説明】
【０１０６】
１００  通信システム
１０１  イーサネット網
２００  対応テーブル
４３１  ブロードキャスト送信部
４３２  ユニキャスト送信部
６００  ＶＬＡＮフレームフォーマット
６１０  ＶＬＡＮタグ
【図１】
2011199430.tif 000003
【図２】
2011199430.tif 000004
【図３】
2011199430.tif 000005
【図４】
2011199430.tif 000006
【図５】
2011199430.tif 000007
【図６】
2011199430.tif 000008
【図７】
2011199430.tif 000009
【図８】
2011199430.tif 000010
【図９】
2011199430.tif 000011
【図１０】
2011199430.tif 000012
【図１１】
2011199430.tif 000013
【図１２】
2011199430.tif 000014